(57)【特許請求の範囲】
【請求項１】
複数のカメラと、
上記複数のカメラからビデオ信号およびコントロール信号が供給される複数のカメラコントロール部と、
上記カメラコントロール部から上記ビデオ信号が供給されるビデオセレクタ部と、
上記カメラコントロール部から上記コントロール信号が供給されるカメラコマンドネットワーク部と、
上記ビデオセレクタ部から上記ビデオ信号が供給されるモニタと、
上記カメラコマンドネットワーク部を介してそれぞれ対応する上記複数のカメラコントロール部を制御する複数のリモートコントロールパネル部と、
上記カメラコマンドネットワーク部を介して複数のカメラコントロール部を制御する複数のマスターセットアップ部とを有するシステムであって、
上記マスターセットアップ部に内蔵され、日時をカウントする時計と、
上記時計に対して電源を供給する電池と、
上記システムをオフ状態とする直前に、上記時計から得られる第１の日時データを記憶する不揮発性メモリと、
上記システムをオン状態としたときに、上記時計から第２の日時データを獲得し、上記不揮発性メモリから上記第１の日時データを読み出し、上記第１および第２の日時データを比較し、時間間隔が略零の場合、上記電池の寿命と判断する制御手段と
を有する電池監視装置。
【請求項２】
請求項１において、
上記時間間隔が略零の場合、アラームを鳴らすようにしたことを特徴とする電池監視装置。
【請求項３】
請求項１において、
上記電池は、一次電池としたことを特徴とする電池監視装置。
【請求項４】
複数のカメラと、
上記複数のカメラからビデオ信号およびコントロール信号が供給される複数のカメラコントロール部と、
上記カメラコントロール部から上記ビデオ信号が供給されるビデオセレクタ部と、
上記カメラコントロール部から上記コントロール信号が供給されるカメラコマンドネットワーク部と、
上記ビデオセレクタ部から上記ビデオ信号が供給されるモニタと、
上記カメラコマンドネットワーク部を介してそれぞれ対応する上記複数のカメラコントロール部を制御する複数のリモートコントロールパネル部と、
上記カメラコマンドネットワーク部を介して複数のカメラコントロール部を制御する複数のマスターセットアップ部とを有するシステムであって、
上記マスターセットアップ部に内蔵され、日時をカウントする時計に対して電池から電源を供給し、
上記システムをオフ状態とする直前に、時計から得られる第１の日時データを不揮発性メモリに記憶し、
上記システムをオン状態としたときに、上記時計から第２の日時データを獲得し、上記不揮発性メモリから上記第１の日時データを読み出し、上記第１および第２の日時データを比較し、時間間隔が略零の場合、上記電池の寿命と判断するようにしたことを特徴とする電池監視方法。
【発明の詳細な説明】
【０００１】
【発明の属する技術分野】
この発明は、システムに含まれる内蔵時計用の電池を監視する電池監視装置および方法に関する。
【０００２】
【従来の技術】
現在、制御装置に内蔵時計が含まれるのは、一般的である。制御装置の電源がオフ状態となっても、内蔵時計は、動作していなければならない。そのため、制御装置には、内蔵時計用に電池が設けられている。
【０００３】
【発明が解決しようとする課題】
制御装置に一次電池が設けられている場合、一次電池の端子電圧のチェックを行い、端子電圧が所定レベルより下がるとアラームを鳴らし、新しい一次電池と交換しなければならない。この手法では、端子電圧のレベルを計る回路も一次電池にとって、負荷になってしまうので、制御装置の電源がオフ状態となったときの消費電力を抑えようとして、内蔵時計のＩＣの消費電力が短くなっても、あまり効果がなかった。すなわち、この負荷により一次電池の寿命が短くなる問題があった。
【０００４】
また、この一次電池の代わりに二次電池を設けた場合、二次電池を充電する回路が新たに必要となる問題があった。
【０００５】
従って、この発明の目的は、電池にとって、内蔵時計以外の負荷となるものを無くしても電池の寿命を知ることができる電池監視装置および方法を提供することにある。
【０００６】
【課題を解決するための手段】
請求項１に記載の発明は、複数のカメラと、複数のカメラからビデオ信号およびコントロール信号が供給される複数のカメラコントロール部と、カメラコントロール部からビデオ信号が供給されるビデオセレクタ部と、カメラコントロール部からコントロール信号が供給されるカメラコマンドネットワーク部と、ビデオセレクタ部からビデオ信号が供給されるモニタと、カメラコマンドネットワーク部を介してそれぞれ対応する複数のカメラコントロール部を制御する複数のリモートコントロールパネル部と、カメラコマンドネットワーク部を介して複数のカメラコントロール部を制御する複数のマスターセットアップ部とを有するシステムであって、マスターセットアップ部に内蔵され、日時をカウントする時計と、時計に対して電源を供給する電池と、システムをオフ状態とする直前に、時計から得られる第１の日時データを記憶する不揮発性メモリと、システムをオン状態としたときに、時計から第２の日時データを獲得し、不揮発性メモリから第１の日時データを読み出し、第１および第２の日時データを比較し、時間間隔が略零の場合、電池の寿命と判断する制御手段とを有する電池監視装置である。
【０００７】
請求項４に記載の発明は、複数のカメラと、複数のカメラからビデオ信号およびコントロール信号が供給される複数のカメラコントロール部と、カメラコントロール部からビデオ信号が供給されるビデオセレクタ部と、カメラコントロール部からコントロール信号が供給されるカメラコマンドネットワーク部と、ビデオセレクタ部からビデオ信号が供給されるモニタと、カメラコマンドネットワーク部を介してそれぞれ対応する複数のカメラコントロール部を制御する複数のリモートコントロールパネル部と、カメラコマンドネットワーク部を介して複数のカメラコントロール部を制御する複数のマスターセットアップ部とを有するシステムであって、マスターセットアップ部に内蔵され、日時をカウントする時計に対して電池から電源を供給し、システムをオフ状態とする直前に、時計から得られる第１の日時データを不揮発性メモリに記憶し、システムをオン状態としたときに、時計から第２の日時データを獲得し、不揮発性メモリから第１の日時データを読み出し、第１および第２の日時データを比較し、時間間隔が略零の場合、電池の寿命と判断するようにしたことを特徴とする電池監視方法である。
【０００８】
一次電池は、システムの電源がオフ状態のときのみ、日時をカウントする時計に電源を供給するため、その寿命を長くできる。また、システムの電源がオフ状態となる直前の日時データが不揮発性メモリに記憶され、電源がオン状態となるときに、記憶された日時データが不揮発性メモリから読み出される。オン状態となったときの日時データと、不揮発性メモリから読み出された日時データとを比較し、その時間経過が所定の時間間隔より短いときに、一次電池の寿命の確認を促す。
【０００９】
【発明の実施の形態】
以下、この発明の一実施形態について図面を参照して説明する。図１は、この発明が適用された一実施形態の全体的構成を示す。この図１は、６台のスタンダードカメラ（以下、ＳＤカメラと称する）を用いた一例である。ＳＤカメラ１1 〜１6 からビデオ信号およびコントロール信号がＣＣＵ（Camera Control Unit ）２1 〜２6 へ供給される。ＣＣＵ２1 〜２6 からビデオ信号がＶＣＳ（Video Selector）３へ供給され、コントロール信号がＣＮＵ（Camera command Network Unit ）４へ供給される。ＶＣＳ３およびＣＮＵ４は、ビデオ信号およびコントロール信号で接続される。ＶＣＳ３からビデオ信号が波形モニタ７およびピクチャモニタ８に供給される。波形モニタ７には、ＳＤカメラ１で撮影された影像のレベルが表示される。ピクチャモニタ８には、ＳＤカメラ１で撮影された影像の絵が表示される。ＣＮＵ４には、６台のＲＣＰ（Remote Contorol Panel ）５1 〜５6 およびＭＳＵ（Master Setup Unit ）６が接続される。ＲＣＰ５1 〜５6 は、ＣＮＵ４を介してそれぞれ対応するＣＣＵ２1 〜２6 を制御する。ＭＳＵ６は、ＣＮＵ４を介して６台のＣＣＵ２1 〜２6 を制御する。
【００１０】
２台のハイビジョン用カメラ（以下、ＨＤカメラと称する）を用いた一例を図２を用いて説明する。図１に示す機能と同じ機能のブロックは、同じ参照符号を付し、その説明を省略する。ＨＤカメラ１１1 〜１１2 からビデオ信号およびコントロール信号がＨＤＣＵ１２1 〜１２2 へ供給される。ＨＤＣＵ１２1 〜１２6 からビデオ信号がＨＤＳ１３へ供給され、コントロール信号がＣＮＵ４へ供給される。ＨＤＳ１３およびＣＮＵ４は、ビデオ信号およびコントロール信号で接続される。ＨＤＳ１３からビデオ信号が波形モニタ７およびピクチャモニタ８に供給される。ＣＮＵ４には、２台のＲＣＰ５1 〜５2 およびＭＳＵ６が接続される。
【００１１】
以下、説明を容易とするために、ＳＤカメラを用いる図１に基づいて説明する。しかしながら、図２に示すＨＤカメラを用いても同様に使用することは可能である。
【００１２】
上述したＭＳＵ６の一例を図３に示す。ＭＳＵ６は、キー部１５、ＣＰＵ１６、メモリ１７および画面１８から構成される。一例として、キー部１５で設定された項目が画面１８に表示されるようにＣＰＵ１６で制御される。画面１８に表示されたパラメータがそれぞれ設定され、その設定値がメモリ１７に記憶される。また、メモリ１７には、いわゆるビデオＲＡＭが含まれ、画面１８に表示される複数の画面を保持することができ、さらに不揮発性メモリも含まれ、このシステムの電源がオフ状態とされても不揮発性メモリに記憶されたデータは、保持される。
【００１３】
このＭＳＵ６のコントロールパネルの一実施形態を図４に示す。ボタン群２１、ボタン群および表示群２２、ボタン群２３では、後述するようにさまざまなモードの設定が行われる。モニタ２４は、一例としてタッチパネルからなり、コントロールパネルの機能に対応したパラメータが表示される。ＩＣメモリ部２５には、ＩＣメモリカードが着脱自在とされ、取り付けられたＩＣメモリカードに各設定が記録される。カメラ選択部２６では、接続されているＳＤカメラ１1 〜１6 の中から影像の色調を調整するＳＤカメラが選択される。ＭＡＳＴＥＲ  ＢＬＡＣＫ調整部２７では、黒のレベル調整が行われる。ＩＲＩＳ調整部２８では、アイリスのレベル調整が行われる。ボリューム群２９は、回動自在に動作し、後述するようにモニタ２４の下部に表示されるパラメータとそれぞれ対応し、そのパラメータの値を自在に変化させるために使用される。
【００１４】
図４に示すボタン群２１は、図５に示すように、Ｒボタン３１、Ｇボタン３２、Ｂボタン３３、ＳＥＱボタン３４、ＥＮＣボタン３５、ＷＦボタン３６、ＰＩＸボタン３７から構成される。このボタン群２１は、一例として、オン状態となるとＬＥＤが点灯する。
【００１５】
Ｒボタン３１がオン状態とされると、波形モニタ７へＲ信号の波形が出力され、またはピクチャモニタ８へＲ信号の影像が出力され、Ｒボタン３１がオフ状態とされると、Ｒ信号の出力が停止される。Ｇボタン３２がオン状態とされると、波形モニタ７へＧ信号の波形が出力され、またはピクチャモニタ８へＧ信号の影像が出力され、Ｇボタン３２がオフ状態とされると、Ｇ信号の出力が停止される。Ｂボタン３３がオン状態とされると、波形モニタ７へＢ信号の波形が出力され、またはピクチャモニタ８へＢ信号の影像が出力され、Ｂボタン３３がオフ状態とされると、Ｂ信号の出力が停止される。これらのＲボタン３１、Ｇボタン３２またはＢボタン３３は、単独、もしくは組み合わせて選択することができる。Ｒボタン３１、Ｇボタン３２またはＢボタン３３がオン状態とれると、ＥＮＣボタン３５は、オフ状態とされる。
【００１６】
ＳＥＱボタン３４がオン状態とされると、Ｒボタン３１、Ｇボタン３２およびＢボタン３３はオフ状態とされ、波形モニタ７にシーケンス信号が表示される。すなわち、波形モニタ７でＲ、Ｇ、Ｂの３つの信号の波形を、シーケンシャルモードでモニタすることができる。この一例では、波形モニタ７の画面が３つに分割され、Ｒ、Ｇ、Ｂの３つの信号がそれぞれ表示される。
【００１７】
ＥＮＣボタン３５がオン状態とされると、Ｒボタン３１、Ｇボタン３２およびＢボタン３３はオフ状態とされ、波形モニタ７および／またはピクチャモニタ８にエンコード信号が表示される。すなわち、ＲＧＢのコンポーネント信号をコンポジット信号として波形モニタ７および／またはピクチャモニタ８に表示することができる。
【００１８】
ＷＦボタン３６がオン状態とされると、アイリス、マスターブラックなどの調整を行うことができる。このときの様子は、波形モニタ７に表示される。例えば、ＷＦボタン３６がオン状態とされ、Ｒボタン３１、Ｇボタン３２および／またはＢボタン３３がオン状態とされると、押されたＲボタン３１、Ｇボタン３２および／またはＢボタン３３に対応した信号の波形が波形モニタ７に表示される。具体的には、Ｒボタン３１がオン状態とされると、波形モニタ７にＲ信号の波形が表示され、Ｒボタン３１がオフ状態にされると、Ｒ信号の波形の表示が停止される。同様に、Ｇボタン３２またはＢボタン３３がオン状態とされると、波形モニタ７にＧ信号の波形またはＢ信号の波形が表示され、Ｇボタン３２またはＢボタン３３がオフ状態にされると、Ｇ信号の波形またはＢ信号の波形の表示が停止される。
【００１９】
ＰＩＸボタン３７がオン状態とされると、オートホワイトバランス、オートブラックバランスなどの調整を行うことができる。このときの様子は、ピクチャモニタ８に表示される。例えば、ＰＩＸボタン３７がオン状態とされ、Ｒボタン３１、Ｇボタン３２および／またはＢボタン３３がオン状態とされると、押されたＲボタン３１、Ｇボタン３２および／またはＢボタン３３に対応した信号の影像がピクチャモニタ８に表示される。Ｒボタン３１がオン状態とされると、ピクチャモニタ８にＲ信号の影像が表示され、Ｒボタン３１がオフ状態にされると、Ｒ信号の影像の表示が停止される。同様に、Ｇボタン３２またはＢボタン３３がオン状態とされると、ピクチャモニタ８にＧ信号の影像またはＢ信号の影像が表示され、Ｇボタン３２またはＢボタン３３がオフ状態にされると、Ｇ信号の影像またはＢ信号の影像の表示が停止される。
【００２０】
このＷＦボタン３６がオン状態にされると、ＰＩＸボタン３７がオフ状態にされ、ＰＩＸボタン３７がオン状態にされるとＷＦボタン３６がオフ状態にされる。また、ＷＦボタン３６およびＰＩＸボタン３７を同時に押すと、ＷＦボタン３６およびＰＩＸボタン３７の両方がオン状態となる。
【００２１】
このように、ＷＦボタン３６およびＰＩＸボタン３７の両方がオン状態とされると、両方がオン状態とされる前にＷＦボタン３６がオン状態のときに選択されていたＲ信号の波形、Ｇ信号の波形および／またはＢ信号の波形が波形モニタ７に表示され、両方がオン状態とされる前にＰＩＸボタン３７がオン状態のときに選択されていたＲ信号の影像、Ｇ信号の影像および／またはＢ信号の影像がピクチャモニタ８に表示される。このとき、一例として、波形モニタ７に表示されている信号と対応するボタンと、ピクチャモニタ８に表示されている信号と対応するボタンとが点滅する。
【００２２】
なお、ＷＦボタン３６およびＰＩＸボタン３７がオン状態のときに、同じ信号が選択されていた場合、対応するボタンが点灯する。例えば、ＷＦボタン３６がオン状態のときに、Ｒ信号の波形およびＢ信号の波形が波形モニタ７に表示され、ＰＩＸボタン３７がオン状態のときに、Ｇ信号の影像およびＢ信号の影像がピクチャモニタ８に表示されていたときに、ＷＦボタン３６およびＰＩＸボタン３７が同時にオン状態とされた場合、Ｂボタン３３は点灯し、Ｒボタン３１およびＧボタン３２が点滅する。
【００２３】
これによって、Ｂ信号は、ＷＦモニタ７およびピクチャモニタ８に表示され、Ｒ信号およびＧ信号の一方がＷＦモニタ７に表示され、その他方がピクチャモニタ８に表示されていることが分かる。すなわち、ＷＦモニタ７およびピクチャモニタ８の表示は、異なる信号が表示されていることが分かる。ＷＦボタン３６およびＰＩＸボタン３７が同時にオン状態にされた後、Ｒボタン３１、Ｇボタン３２またはＢボタン３３がオン状態にされると連動して波形モニタ７およびピクチャモニタ８にオン状態とされた信号が表示される。
【００２４】
この一例では、ＷＦボタン３６およびＰＩＸボタン３７を設けることによって、従来図１０の範囲１２１に示すように、２列に配置されていた、Ｒボタン、Ｇボタン、Ｂボタンを１列に配置することができる。また、従来では、ピクチャモニタ８および波形モニタ７に出力される信号を連動させて操作する機能はなかったが、この一例では、ピクチャモニタ８および波形モニタ７に出力する信号を連動させて操作することが可能となった。
【００２５】
図４に示すボタン群および表示群２２は、図６に示すように、５６００Ｋボタン４１、ＡＵＴＯ  ＫＮＥＥボタン４２、ＳＫＩＮ  ＤＥＴＡＩＬボタン４３、ＣＨＡＲＡＣＴＥＲボタン４４、ＳＣＥＮＥ  ＦＩＬＥ１ボタン４５、ＳＣＥＮＥ  ＦＩＬＥ２ボタン４６、ＳＣＥＮＥ  ＦＩＬＥ３ボタン４７、ＳＣＥＮＥ  ＦＩＬＥ４ボタン４８、ＳＣＥＮＥ  ＦＩＬＥ５ボタン４９、ＳＴＲＯＥボタン５０、ＥＳＣ／ＳＨＵＴＴＥＲ表示５１、ＧＡＭＭＡ表示５２、ＭＡＳＴＥＲ  ＧＡＩＮ表示５３、ＮＤ  ＣＣ  ＦＩＬＴＥＲ表示５４から構成される。
【００２６】
５６００Ｋボタン４１、ＡＵＴＯ  ＫＮＥＥボタン４２、ＳＫＩＮ  ＤＥＴＡＩＬボタン４３およびＣＨＡＲＡＣＴＥＲボタン４４では、カラーをモノクロへ変換して出力する信号の階調を細かく調整することができる。例えば、標準的な色温度（５６００Ｋ）を表示させたり、γ曲線の調整を行うことができる。
【００２７】
ＳＣＥＮＥ  ＦＩＬＥ１ボタン４５、ＳＣＥＮＥ  ＦＩＬＥ２ボタン４６、ＳＣＥＮＥ  ＦＩＬＥ３ボタン４７、ＳＣＥＮＥ  ＦＩＬＥ４ボタン４８、ＳＣＥＮＥ  ＦＩＬＥ５ボタン４９およびＳＴＲＯＥボタン５０では、選択された影像を何番目にするか並べ替えが行われる。
【００２８】
ＥＳＣ／ＳＨＵＴＴＥＲ表示５１、ＧＡＭＭＡ表示５２、ＭＡＳＴＥＲ  ＧＡＩＮ表示５３およびＮＤ  ＣＣ  ＦＩＬＴＥＲ表示５４では、現在設定されている各値が表示される。
【００２９】
ＥＳＣ／ＳＨＵＴＴＥＲ表示５１では、設定されているシャッタ速度が表示される。ＧＡＭＭＡ表示５２では、設定されているγ曲線の値が表示される。ＭＡＳＴＥＲ  ＧＡＩＮ表示５３では、設定されているマスタゲインの値が表示される。ＮＤ  ＣＣ  ＦＩＬＴＥＲ表示５４では、設定されているＮＤフィルタの番号と、色温度フィルタの記号が表示される。
【００３０】
図４に示すボタン群２３は、図７に示すように、ＰＡＩＮＴボタン６１、ＦＵＮＣＴＩＯＮボタン６２、ＦＩＬＥボタン６３、ＭＡＩＮＴＥＮＡＮＣＥボタン６４、ＣＯＮＦＩＧボタン６５、ＣＡＲＤボタン６６およびＭＵＬＴＩボタン６７から構成される。それぞれのパラメータは、モニタ２４に表示される。
【００３１】
ＰＡＩＮＴボタン６１では、各カメラの色合わせや絵作りのための影像の色調が設定される。このＰＡＩＮＴボタン６１が押されると、モニタ２４には、図８Ａに示す画面が表示される。この一例では、ＰＡＩＮＴボタン６１に関するパラメータが図９Ａに示すように階層的に構成される。図９Ａに示す画面１、画面２または画面３がモニタ２４の領域７１に表示され、画面１、画面２または画面３の下の階層がモニタ２４の領域７２に表示される。
【００３２】
モニタ２４の領域７１には、Ｃｌｅａｒボタン８１、Ｅｘｉｔボタン８２、ＶＭｏｄ  Ｓａｗボタン８３、Ｄｅｔａｉｌボタン８４、Ｓｋｉｎ  Ｄｅｔａｉｌボタン８５、ＳＡＴ／Ｃｏｎｔｒａｓｔボタン８６、Ｂｌａｃｋボタン８７、Ｗｈｉｔｅボタン８８、Ｆｌａｒｅボタン８９、Ｇａｍｍａ／Ｋｎｅｅボタン９０および頁切り替え部９１が表示される。
【００３３】
Ｖ  Ｍｏｄ  Ｓａｗボタン８３では、白を白のままにするために、カメラで白を撮影したときの垂直方向のモジュレーション調整が行われる。Ｄｅｔａｉｌボタン８４では、輪郭強調が行われる。Ｓｋｉｎ  Ｄｅｔａｉｌボタン８５では、肌色のみがコントロールされる。ＳＡＴ／Ｃｏｎｔｒａｓｔボタン８６では、色の成分が制御される。Ｂｌａｃｋボタン８７では、黒の調整が行われる。Ｗｈｉｔｅボタン８８では、白の調整が行われる。Ｆｌａｒｅボタン８９では、例えば白く光る物体の周りの白を抑えるフレア調整が行われる。Ｇａｍｍａ／Ｋｎｅｅボタン８６では、γ曲線などの調整が行われる。頁切り替え部９１では、上矢印ボタンおよび下矢印ボタンで頁を変えることができる。この一例では、モニタ２４の領域７１は、３頁中の１頁目である。また、この図８Ａに示す一例では、Ｆｌａｒｅボタン８９が選択されていることを示す。
【００３４】
モニタ２４の領域７２は、領域７２ａおよび７２ｂに分けられる。領域７２ａには、ＥＸＰＡＮＤボタン９２、Ｆｌａｒｅボタン９３およびＦｌａｒｅ  Ｏｆｆボタン９４が表示される。
【００３５】
領域７２ｂには、Ｒ信号９５、Ｇ信号９６、Ｂ信号９７が表示される。このＲ信号９５、Ｇ信号９６、Ｂ信号９７の表示は、このモニタ２４の下に設けられているボリューム群２９（図４参照）に対応する表示である。すなわち、Ｒ信号９５の表示の下に設けられたボリューム群２９の左端のボリュームを回転させることにより、その回転に応じてＲ信号の値が制御される。
【００３６】
図７に示すＦＵＮＣＴＩＯＮボタン６２は、各ＳＤカメラの状態の設定に関する。このＦＵＮＣＴＩＯＮボタン６２が押されると、モニタ２４には、図８Ｂに示す画面が表示される。この一例では、ＦＵＮＣＴＩＯＮボタン６２に関するパラメータが図９Ｂに示すように、階層的に構成される。図９Ｂに示す画面Ａ、画面Ｂまたは画面Ｃがモニタ２４の領域７３に表示され、その表示された画面に対応するパラメータがモニタ２４の領域７４に表示される。
【００３７】
モニタ２４の領域７３には、Ｅｘｉｔボタン１０１、Ｏｐｅｒａｔｉｏｎボタン１０２、ＳＷ１ボタン１０３およびＳＷ２ボタン１０４が表示される。Ｏｐｅｒａｔｉｏｎボタン１０２では、ゲイン、γ曲線、シャッタなどの調整が行われる。ＳＷ１ボタン１０３およびＳＷ２ボタン１０４では、ＫＮＥＥ  ＯＦＦ、ＤＥＴＡＩＬ  ＯＦＦなどの調整が行われる。
【００３８】
モニタ２４の領域７４は、領域７４ａおよび７４ｂに分けられる。領域７４ａには、Ｃｔｒｌボタン１０５、ＮＤボタン群１０６、ＣＣボタン群１０７が表示される。ＮＤボタン群１０６では、１〜５のそれぞれにＮＤフィルタの値が設定される。例えば、ＮＤ１には１／２のフィルタが設定され、ＮＤ２には１／４のフィルタが設定され、ＮＤ３には１／６のフィルタが設定され、ＮＤ４には１／８のフィルタが設定され、ＮＤ５には１／１０のフィルタが設定される。ＣＣボタン群１０７では、Ａ〜Ｅのそれぞれに色温度フィルタが設定される。
【００３９】
領域７４ｂには、Ｓｈｕｔｔｅｒ部１０８、ＥＣＳ部１０９、Ｇａｍｍａ部１１０、Ｍａｓｔｅｒ  Ｇａｉｎ部１１１が表示される。この領域７４ｂに表示されるＳｈｕｔｔｅｒ部１０８、ＥＣＳ部１０９、Ｇａｍｍａ部１１０、Ｍａｓｔｅｒ  Ｇａｉｎ部１１１は、このモニタ２４の下に設けられているボリューム群２９（図４参照）と対応し、それぞれ対応するボリュームで表示される数値を制御することができる。
【００４０】
Ｓｈｕｔｔｅｒ部１０８では、シャッタ速度が設定される。このとき、Ｓｈｕｔｔｅｒ部１０８に表示されているボタンを使用して、例えば１／１２５、１／２５０、１／５００など予め記憶されている値が設定され、さらに細かい値の設定を行いたい場合、対応するボリュームが使用される。
【００４１】
ＥＣＳ部１０９では、シャッタ速度より微妙なシャッタ速度が設定される。このＥＣＳ部１０９もＳｈｕｔｔｅｒ部１０８と同様に、対応するボリュームを使用して、細かい値の設定を行うことができる。一例として、ＴＶの画面を撮影するときに画面が流れるのを抑えることができる。
【００４２】
Ｇａｍｍａ部１１０では、γ曲線が調整される。このとき、Ｇａｍｍａ部１１０に表示されている上矢印ボタンおよび下矢印ボタンと、対応するボリュームを使用して、細かい値の設定を行うことができる。Ｍａｓｔｅｒ  Ｇａｉｎ部１１１では、マスタゲインが調整される。このＭａｓｔｅｒ  Ｇａｉｎ部１１１もＧａｍｍａ部１１０と同様に、表示されている上矢印ボタンおよび下矢印ボタンと、対応するボリュームを使用して、細かい値の設定を行うことができる。
【００４３】
領域７３に表示されるＳＷ１ボタン１０３が押されると、例えば、図１０に示す範囲１２２のボタンの中からＫＮＥＥＯＦＦ、ＤＥＴＡＩＬ  ＯＦＦ、ＬＶＬＤＥＰＯＦＦ、ＧＡＭＭＡ  ＯＦＦ、ＣＨＲＯＭＡ  ＯＦＦ、ＭＡＴＲＩＸＯＦＦなどがモニタ２４の領域７４に表示される。
【００４４】
同様に領域７３に表示されるＳＷ２ボタン１０４が押されると、例えば、図１０に示す範囲１２２のボタンの中からＫＮＥＥ  ＡＰＥＲＴＵＲＥ、ＫＮＥＥ  ＳＡＴ、ＭＯＮＯ  ＣＯＬＯＲ、ＣＯＬＯＲ  ＣＯＲＲＥＣＴなどがモニタ２４の領域７４に表示される。
【００４５】
図７に示すＦＩＬＥボタン６３では、各ＳＤカメラのデータの調整が行われる。例えば、基準となるデータを記録するリファレンスファイル、各ショット（シーン）の微妙な調整を行うシーンファイル、各ＳＤカメラのレンズの調整を行うレンズファイル、ＳＤカメラのＣＣＤブロックを交換したときのＣＣＤブロックによる調整値を記録するＯＨＢファイルが調整される。
【００４６】
ＭＡＩＮＴＥＮＡＮＣＥボタン６４では、信号レベルの調整、出力レベルの調整、ハードウェアに係る調整が行われる。ＣＯＮＦＩＧボタン６５では、ＳＤカメラ１、ＣＣＵ２、ＣＵＮ４などの状態が設定される。また、ＭＳＵ６の内部の時計の時間設定、モニタ２４の明るさの設定が行われる。ＣＡＲＤボタン６６では、ＩＣメモリ部２５に挿入されたＩＣメモリカードのフォーマットが行われる。ＭＵＬＴＩボタン６７では、ＲＣＰのマスタ／スレーブや、キャラクタなどが設定される。例えば、ＲＣＰ５1 〜５6 のどのＲＣＰをマスタにするかが設定される。
【００４７】
ここで、大半の調整は、選択された調整項目（図８Ａに示す画面）内で調整を終えることができる。しかしながら、別の項目のパラメータを変えながら、調整を行わなければならない場合がある。例えば、フレア調整のような補正機能の調整では、ＳＤカメラの状況を変更してもフレア調整が正しく調整されているか否かを確認する必要がある。
【００４８】
具体的には、ＳＤカメラから得られた影像に対して、フレア調整を行う場合、ＰＡＩＮＴボタン６１がオン状態とされ、ペイント調整項目が選択される。このとき、モニタ２４には、図８Ａに示す画面が表示される。次に、Ｆｌａｒｅボタン８９が押され、フレア調整項目が選択される。このとき、モニタ２４には、図８Ａの領域７２に示すフレア調整項目が表示され、フレア調整が行われる。次に、ゲインを変更するために、ＦＵＮＣＴＩＯＮボタン６２がオン状態とされる。このとき、モニタ２４には、ゲイン調整が行われる画面（図８Ｂ）が表示される。すなわち、フレア調整が行われる画面（図８Ａ）と、ゲイン調整が行われる画面（図８Ｂ）とが切り替えられモニタ２４に表示される。
【００４９】
このように、図８Ｂに示す画面と、図８Ａに示す画面とを切り替えながら、フレア調整が行われる。この切り替えの度に毎回図９に示すように、上位の階層から下位の階層の所望の項目（画面）を選択するのは面倒なので、フレア調整時にＦＵＮＣＴＩＯＮボタン６２をオン状態とさせると、モニタ２４からフレア調整の画面（図８Ａ）をメモリ１７に退避（記憶）させ、ファンクションの画面（図８Ｂ）をモニタ２４に表示させる。ファンクションの画面（図８Ｂ）でＳＤカメラの設定を変えた後、再度ＦＵＮＣＴＩＯＮボタン６２を押して、オフ状態とさせると、退避していたペイント調整の画面（図８Ａ）がメモリ１７から読み出され再度フレア調整が行える。
【００５０】
すなわち、このＦＵＮＣＴＩＯＮボタン６２は、割り込み機能を有する。この割り込み機能は、ＦＵＮＣＴＩＯＮボタン６１特有の機能であり、ＰＡＩＮＴボタン６１がオン状態のとき以外にもＭＡＩＮＴＥＮＡＮＣＥボタン６４がオン状態のとき、ＣＯＮＦＩＧボタン６５がオン状態のときにも有効となる。
【００５１】
従来、別の項目のパラメータであるゲインを変えながらフレア調整を行う場合、ゲインを変更するためのスイッチが必要になる。しかしながら、小型化とされた機器のコントロールパネルにゲイン調整用のスイッチを配置することはできない。よって、この一例では、割り込み機能を設けて、ゲイン調整を行うようにした。
【００５２】
このように、何らかの調整を行っているときに、ＦＵＮＣＴＩＯＮボタン６２がオン状態とされた場合、一時的に呼び出したい画面（図８Ａ）がモニタ２４に表示され、呼び出される前の画面の状態がメモリ１７に退避（記憶）される。そして、ＦＵＮＣＴＩＯＮボタン６２がオフ状態とされた場合、メモリ１７に退避された前の画面が読み出され、モニタ２４に表示される。すなわち、ＦＵＮＣＴＩＯＮボタン６２をオン／オフすることによって、前の画面とファンクション用の画面（図８Ｂ）との２画面をトグルに切り替えることを可能にした機能である。
【００５３】
このように、設定されたデータを上述したようにＩＣメモリカードに記録することができる。このとき、データと共に、その日時も記録される。この一実施形態では、ＲＴＣ（Real Time Clock ）によって時間がカウントされ、日時データは、通信によって上述したＣＰＵ１６へ供給される。
【００５４】
このＲＴＣに電源を供給する一例を図１１に示す。ダイオード１３１のアノードは、電圧ＶCCと接続され、そのカソードは、ダイオード１３２のカソードと接続される。ダイオード１３２のアノードと接地との間に、一次電池１３３が挿入される。ダイオード１３１のカソードと、ダイオード１３２のカソードとの接続点と、接地との間に、ＲＴＣ１３４が挿入される。
【００５５】
通常は一次電池１３３の端子電圧Ｖａを監視していれば、一次電池１３３の寿命は確認できる。しかしながら、端子電圧Ｖａを監視するためには、Ａ／Ｄコンバータなどから構成される回路をさらに接続することになり、一次電池１３３の負荷が多くなり、一次電池１３３の寿命が短くなる。一次電池１３３の寿命を長くするために、この一実施形態では、スリープ時のＲＴＣ１３４のバックアップ電源としてのみ一次電池１３３を働かせる。
【００５６】
このシステムの電源がオン状態の場合、図１２Ａに示すように、端子電圧Ｖａより電圧ＶCCの方が電圧が高いためダイオード１３２’はオフ状態となる。このとき、ＲＴＣ１３４がアクティブ状態でＣＰＵ１６との通信が可能である。上述したように、ＲＴＣ１３４から得られる日時データがデータと共に、ＩＣメモリカードに書き込まれる。そして、電源がオフ状態となる場合、オフ状態となる直前の日時データが取り込まれ、メモリ１７の不揮発性メモリに書き込まれる。
【００５７】
このシステムの電源がオフ状態の場合、図１２Ｂに示すように、端子電圧Ｖａより電圧ＶCCの方が電圧が低いためにダイオード１３１’はオフ状態となる。このとき、端子電圧Ｖａが低くＲＴＣ１３４はスリープ状態になり、低消費モードで時間だけをカウントしている。一次電池１３３は、このスリープ状態のときだけ電力が消費されるため、長時間のバックアップが可能になる。
【００５８】
そして、システムの電源がオフ状態からオン状態となった場合、現在の時刻をＲＴＣ１３４から読み出し、電源がオフ状態となった直前にメモリ１７の不揮発性メモリに記憶した日時データと比較する。ここで時間の経過が所定の時間間隔より短い場合、アラームを鳴らして一次電池の寿命の確認を促す。
【００５９】
すなわち、一次電池１３３から充分な電圧・電流がＲＴＣ１３４に供給されないと、ＲＴＣ１３４が正確に日時をカウントすることができないので、電源をオフ状態とする直前の日時データと、オン状態としたときの日時データとからＲＴＣ１３４が正常に動作しているか否かが判断され、一次電池１３３が寿命であるか否かが判定される。
【００６０】
【発明の効果】
この発明に依れば、スリープ時に日時をカウントするときのみに一次電池を使用し、このときの負荷を最小限に抑えることができるので、一次電池の寿命を長くすることができる。また、一次電池の交換時期も容易にわかるようにできる。
【図面の簡単な説明】
【図１】この発明が適用される一例の放送システムのブロック図である。
【図２】この発明が適用される一例の放送システムのブロック図である。
【図３】この発明が適用されるＭＳＵの一実施形態のブロック図である。
【図４】この発明が適用されるコントロールパネルの一例の概略図である。
【図５】この発明が適用されるボタン群の一例の概略図である。
【図６】この発明が適用されるボタン群の一例の概略図である。
【図７】この発明が適用されるボタン群の一例の概略図である。
【図８】この発明が適用されるモニタの一例の概略図である。
【図９】この発明が適用される項目の一例を説明するための略線図である。
【図１０】従来のコントロールパネルの概略図である。
【図１１】この発明が適用されるスリープ時のバックアップ電源の一例のブロック図である。
【図１２】バックアップ電源のオン／オフの状態を説明するための略線図である。
【符号の説明】
１1 〜１6 ・・・スタンダードカメラ、２1 〜２6 ・・・ＣＣＵ、３・・・ＶＣＳ、４・・・ＣＮＵ、５1 〜５6 ・・・ＲＣＰ、６・・・ＭＳＵ、７・・・波形モニタ、８・・・ピクチャモニタ
【図１】
0004538861.tif 000002
【図２】
0004538861.tif 000003
【図３】
0004538861.tif 000004
【図４】
0004538861.tif 000005
【図５】
0004538861.tif 000006
【図６】
0004538861.tif 000007
【図７】
0004538861.tif 000008
【図８】
0004538861.tif 000009
【図９】
0004538861.tif 000010
【図１０】
0004538861.tif 000011
【図１１】
0004538861.tif 000012
【図１２】
0004538861.tif 000013